(57)【要約】【課題】下枠の上面や、障子の下端部に当接する止水材を簡単に清掃できるとともに、止水材のアフターメンテナンス性を向上できる建具および浴室ユニットを提供すること。【解決手段】折戸４は、上枠、下枠１２、および左右の縦枠を有する枠体と、枠体に対して開閉自在に取り付けられる障子２０とを備え、浴室側と脱衣室側との間に設けられている。下枠１２には、障子２０を閉じた際に障子２０の下端部に当接して、浴室からの浸水を防止するための止水材３２を有するアタッチメント部材３０が着脱自在に取り付けられている。【選択図】図４
2006241688.tif 000002
【特許請求の範囲】
【請求項１】
上枠、下枠、および左右の縦枠を有する枠体と、前記枠体に対して開閉自在に取り付けられる障子とを備え、隣り合う第１の空間と第２の空間との間に設けられる建具であって、
前記下枠には、前記障子を閉じた際に、前記障子の下部に当接して、前記第１の空間からの浸水を防止するための軟質の止水材を有するアタッチメント部材が着脱自在に取り付けられていることを特徴とする建具。
【請求項２】
前記止水材よりも前記第２の空間側の位置において、前記アタッチメント部材自体、または、前記アタッチメント部材と前記下枠との間には、排水流路が形成されることを特徴とする請求項１に記載の建具。
【請求項３】
前記下枠には、前記アタッチメント部材を取り付ける位置よりも前記第１の空間側の位置から上方へ突出する突出部が形成され、
前記止水材には、前記アタッチメント部材を前記下枠に取り付けた際に、前記突出部に当接する突出片が形成されていることを特徴とする請求項１に記載の建具。
【請求項４】
前記下枠には、当該下枠に前記アタッチメント部材を固定するための取付部が設けられていることを特徴とする請求項１〜３のいずれかに記載の建具。
【請求項５】
前記取付部は、前記下枠両端に設けられ、前記下枠に取り付けられる受け部材と、前記アタッチメント部材を挟んだ状態で前記受け部材に係合する端部部材とを備えることを特徴とする請求項４に記載の建具。
【請求項６】
請求項１〜５のいずれかに記載の建具が取り付けられた浴室ユニット。
【発明の詳細な説明】
【技術分野】
【０００１】
本発明は、建具および浴室ユニットに関し、特に、下枠の上面や、障子の下端部に当接する止水材の清掃性やアフターメンテナンス性を向上できる建具および浴室ユニットに関する。
【背景技術】
【０００２】
従来、浴室ユニット等に取り付けられる建具としては、例えば、特許文献１に示すように、躯体に固定された下枠と、この下枠に予め取り付けられた止水材とを備え、止水材の先端を障子の下端部に当接させて止水ラインを形成することにより、浴室側からの浸水を防止するものがある。
【特許文献１】特開平９−９６１７６号公報
【発明の開示】
【発明が解決しようとする課題】
【０００３】
しかしながら、このような建具では、下枠に止水材が予め取り付けられているため、下枠の上に水が溜まった場合に、この溜まった水が、下枠と止水材との間の隙間部分等に入りこんで清掃しにくいという問題がある。また、下枠に止水材が取り付けられているため、止水材のアフターメンテナンスが困難であるという問題もある。
【０００４】
本発明の目的は、下枠の上面や、障子の下端部に当接する止水材を簡単に清掃できるとともに、止水材のアフターメンテナンス性を向上できる建具および浴室ユニットを提供することにある。
【課題を解決するための手段】
【０００５】
本発明は、上枠、下枠、および左右の縦枠を有する枠体と、前記枠体に対して開閉自在に取り付けられる障子とを備え、隣り合う第１の空間と第２の空間との間に設けられる建具であって、前記下枠には、前記障子を閉じた際に、前記障子の下端部に当接して、前記第１の空間からの浸水を防止するための軟質の止水材を有するアタッチメント部材が着脱自在に取り付けられていることを特徴とする。ここで、第１の空間と第２の空間との関係としては、例えば、浴室（シャワー室やプール等も含む）と脱衣室の場合、トイレの出入口部分、室外と室内の場合などが考えられる。
【０００６】
本発明によれば、軟質の止水材を有するアタッチメント部材を下枠から着脱自在な構成としたので、下枠からアタッチメント部材を取り外すだけで、下枠の上面や止水材を簡単に清掃できるとともに、止水材のアフターメンテナンス性を向上できる。
【０００７】
ここで、前記止水材よりも前記第２の空間側の位置において、前記アタッチメント部材自体、または、前記アタッチメント部材と前記下枠との間には、排水流路が形成されることとしてもよい。このような構成によれば、止水材と障子との当接による第１の止水ラインに加えて、排水流路が、第１の止水ラインを越えてきた水を排水する第２の止水ラインとして機能するため、第２の空間側への浸水を防止できる。
【０００８】
また、前記下枠には、前記アタッチメント部材を取り付ける位置よりも前記第１の空間側の位置から上方へ突出する突出部が形成され、前記止水材には、前記アタッチメント部材を前記下枠に取り付けた際に、前記突出部に当接する突出片が形成されていてもよい。このような構成によれば、止水材の突出片と下枠の突出部とが当接することにより、アタッチメント部材と下枠との間に水が入り込むことを確実に防止できる。
【０００９】
以上の建具において、前記下枠には、当該下枠に前記アタッチメント部材を固定するための取付部が設けられていてもよい。この際、前記取付部は、前記下枠両端に設けられ、前記下枠に取り付けられる受け部材と、前記アタッチメント部材を挟んだ状態で前記受け部材に係合する端部部材とを備える構成としてもよい。このような取付部材は、建具の意匠性や、利用者の安全面等を考慮して、前記アタッチメント部材の端部側に設けられることが好ましい。
【００１０】
また、本発明は、以上の建具が取り付けられた浴室ユニットである。
【発明の効果】
【００１１】
本発明の建具および浴室ユニットによれば、下枠の上側や、障子の下端部に当接する止水材を簡単に清掃できるとともに、止水材のアフターメンテナンス性を向上できるという効果がある。
【発明を実施するための最良の形態】
【００１２】
以下、本発明の実施形態に係る浴室ユニットについて、図面を参照して説明する。
図１は、本実施形態に係る浴室ユニット１を示す正面図である。図１に示すように、浴室ユニット１は、ユニット本体２と、ユニット本体２内に設けられた浴槽３と、ユニット本体２の開口部２Ａに取り付けられた本発明の建具としての折戸４とを備えている。
【００１３】
折戸４は、上枠１１、下枠１２、および左右の縦枠１３により四周枠組みされた枠体１０と、枠体１０に対して開閉自在に設けられ、２枚の扉２１，２２が折り畳み可能に連結された障子２０とを備えている。図２は、折戸４を示す縦断面図である。図２に示すように、折戸４は、第１の空間である浴室側と、第２の空間である脱衣室側との間の開口部に設けられている。また、下枠１２と障子２０との間には、アタッチメント部材３０が着脱自在に取り付けられている。
【００１４】
図３は、図２の下側部分を拡大して示す縦断面図である。図３に示すように、下枠１２は、床面を構成する上板１４と、上板１４の脱衣室側の端部から脱衣室側へ膨らむようなクランク状に延出し、建物躯体に取り付けられる取付部１５とを備えている。上板１４には、障子２０の摺動を案内するためのレール１４Ａと、閉じ状態の障子２０の脱衣室側の面に対応する位置で上方へ突出する突出部１４Ｂとが形成されている。また、上板１４の上面には、当該上面に溜まった水の表面張力を破壊して、この破壊された水を左右の縦枠１３側へと導く溝部１４Ｃが形成されている。
【００１５】
アタッチメント部材３０は、突出部１４Ｂと取付部１５の根元部分１５Ａとの間に取り付けられる。アタッチメント部材３０は、下枠１２上に取り付けられる本体部３１と、本体部３１に保持され、障子２０の脱衣室側の面に当接する軟質の止水材３２とを備えている。本体部３１は、縦断面Ｕ字状に形成された凹部３３と、凹部３３の上端から脱衣室側へ延び、下側へ屈曲するクランク状に形成された延出部３４とを備えている。このようなアタッチメント部材３０を下枠１２上に取り付けると、延出部３４の先端が取付部１５の根元部分１５Ａ側に当接し、溝部Ａが設けられる。溝部Ａは、止水材３２を越えて流れてきた水を回収して、左右の縦枠１３側の端部側から浴室側へと戻すような排水流路として機能する。
【００１６】
止水材３２は、例えば縦断面矩形状で中空状に形成され、弾性変形可能な本体部３５と、本体部３５の下面から下方へ突出し、凹部３３に嵌合する嵌合片３６とを備えている。本体部３５は、障子２０の下端部に当接し、障子２０と下枠１２との隙間からの浸水を防止している。なお、本体部３５の形状は断面矩形状でなくてもよく、また、中空状でなくてもよい。また、本体部３５の浴室側面の下端部には、浴室側へ突出する突出片３５Ａが形成されている。突出片３５Ａの先端は、下枠１２の突出部１４Ｂの上端部に当接している。これにより、下枠１２とアタッチメント部材３０との間に水が入り込むことを防止している。また、本体部３５は、浴室側にわずかに傾斜しており、障子２０を閉じた際に密閉性が高まるようになっている。
【００１７】
図４は、下枠１２にアタッチメント部材３０が取り付けられた状態を浴室側から見た斜視図である。図４に示すように、縦枠１３には、当該縦枠１３の長手方向に沿って延びる止水材４０が設けられている。この止水材４０には、アタッチメント部材３０の止水材３２の端部が当接するとともに、障子２０を閉じた際に障子２０の戸先側が当接する。このため、下枠１２と縦枠１３との間から浸水することを防止できる。
【００１８】
また、下枠１２には、アタッチメント部材３０を下枠１２上に取り付けるための取付部材５０が設けられている。図５は、アタッチメント部材３０と、取付部材５０とを示す分解斜視図である。図４，図５に示すように、取付部材５０は、下枠１２上に取り付けられる受け部材５１と、アタッチメント部材３０の両端部に挿入された状態で受け部材５１の上方から、受け部材５１に嵌合する端部部材５２とを備えている。
【００１９】
図６は、取付部材５０によりアタッチメント部材３０を下枠１２上に取り付けた状態を示す縦断面図である。図６に示すように、受け部材５１は、下枠１２を構成する上板１４および取付部１５に沿うように形成されたクランク状の本体部５３と、本体部５３の先端から上方へ突出する爪部５４とを備えている。端部部材５２は、アタッチメント部材３０の本体部３１の端部を下枠１２側へ押圧する部材であり、本体部３１を押圧するカギ状の本体部５５と、本体部５５から下方へ突出するとともに、受け部材５１の爪部５４に係合する爪部５６とを備えている。これにより、下枠１２に対してアタッチメント部材３０を着脱自在に取り付けることができる。
【００２０】
障子２０を閉じ状態とした折戸４において、浴室側から水が溢れてきたとしても、障子２０の下部側とアタッチメント部材３０の止水材３２とが当接するとともに、止水材３２の突出片３５Ａが下枠１２の突出部１４Ｂに当接しているため、下枠１２と障子２０との間から脱衣室側への浸水が抑えられている。また、下枠１２と縦枠１３との結合部分では、縦枠１３に取り付けられた止水材４０と、アタッチメント部材３０の止水材３２とが当接するため、この部分からの浸水も抑えられている。このようにして、折戸４には、第１次的な止水ラインが設けられている。
【００２１】
また、アタッチメント部材３０の止水材３２を越えて脱衣室側に水が溢れたとしても、アタッチメント部材３０に設けられた溝部Ａで回収され、脱衣室への浸水が抑えられている。そして、溝部Ａで回収された水は、左右の縦枠１３側へと流れた後、アタッチメント部材３０の本体部３１の左右側の端部に形成された排水孔（図示略）から、下枠１２の上板１４上を通って浴室へと戻される。また、アタッチメント部材３０と下枠１２との間に水が入った場合には、この水は、下枠１２の上板１４に形成された溝部１４Ｃによって、左右の縦枠１３側へと導かれ浴室へと戻される。このようにして、折戸４には、第１の止水ラインを越えた水を浴室へと戻す第２の止水ラインが設けられている。
【００２２】
本実施形態によれば、以下のような効果がある。
(１)障子２０に当接させる止水材３２を下枠１２に直接取り付けず、下枠１２から着脱可能なアタッチメント部材３０に設けられる構成としたので、下枠１２上に水や塵埃等が溜まったり、損傷したりした場合であっても、アタッチメント部材３０を取り外すだけで、下枠１２や止水材３２を含むアタッチメント部材３０の清掃やアフターメンテナンスを簡単に行うことができる。
【００２３】
(２)アタッチメント部材３０の本体部３１に溝部Ａを設けたので、止水材３２を越えて脱衣室側へと浸水した場合であっても、この水を溝部Ａで回収できるため、より確実な水密性を確保できる。
【００２４】
(３)止水材３２の突出片３５Ａを下枠１２の突出部１４Ｂに当接させる構成としたので、下枠１２とアタッチメント部材３０との間に水が入り込むことを確実に防止できる。
【００２５】
(４)受け部材５１と端部部材５２とを嵌合させることにより、アタッチメント部材３０を下枠１２上に取り付ける構成としたので、下枠１２に受け部材５１を取り付けた後、アタッチメント部材３０の両端部に端部部材５２を挿入し、端部部材５２が挿入されたアタッチメント部材３０を受け部材５１の上からかぶせるようにはめ込むだけで簡単に取り付けることができる。また、このような簡単な取り付け構造なので、アタッチメント部材３０の着脱も容易である。なお、下枠１２に受け部材５１を取り付けた後に、アタッチメント部材３０を配置して、その上から端部部材５２をかぶせるようにはめ込むようにしてもよい。
【００２６】
なお、本発明は、前記実施形態には限定されない。前記実施形態では、取付部材５０を受け部材５１と端部部材５２とにより構成したが、例えば、図７，図８に示す構成としてもよい。図７は、本発明の第１の変形例に係る取付部材１５０を説明するための縦断面図である。図８は、取付部材１５０とアタッチメント部材３０とを示す分解斜視図である。図７，図８に示すように、取付部材１５０は、アタッチメント部材３０を押圧する端部部材１５１を備え、前記取り付け部材とは異なり受け部材を備えていない。図８に示すように、端部部材１５１は、アタッチメント部材３０の両端部に挿入されており、脱衣室側の下端部には、突起１５１Ａが形成されている。この突起１５１Ａは、下枠１２の取付部１５の根元部分１５Ａに形成された凹部に嵌合固定して、下枠１２に取り付けられる。このため、受け部材を備えることなく、アタッチメント部材３０を下枠１２上に取り付けることができるとともに、部材点数を減少させることができる。
【００２７】
また、本発明の建具としては、前記実施形態のような折戸４には限定されず、例えば、図９に示すような開戸５を用いてもよい。図９に示すように、開戸５は、上枠１１１、下枠１１２および左右の縦枠を有する枠体１１０と、枠体１１０に対して開閉可能な障子１２０とを備えている。図１０に示すように、障子１２０の下端部の表裏面には、それぞれ下方へ突出する止水材１３０が取り付けられている。下枠１１２は、前記実施形態の下枠１２と略同様の構成であり、突出部１４Ｂと取付部１５の根元部分１５Ａとの間に、前記アタッチメント部材３０が設けられる。開戸５を閉じた状態では、アタッチメント部材３０の止水材３２は、障子１２０に取り付けられた止水材１３０と当接し、第１の止水ラインを構成している。このような構成においても、前記実施形態と同様の効果を奏することができる。
【００２８】
また、アタッチメント部材の構成は、前記実施形態には限定されず、図１１，図１２に示すような構成としてもよい。図１１に示すように、アタッチメント部材２００の本体部２１０は、前記凹部３３を２つ並設したようなＷ字状に形成してもよく、この際、脱衣室側の端部を下枠１２の取付部１５に当接することが好ましい。このような構成にすれば、第２止水ラインとして機能する前記溝部Ａをアタッチメント部材２００に設けることができる。
【００２９】
また、図１２に示すように、アタッチメント部材３００の本体部３１０は、前記凹部３３のみを備える構成としてもよい。このような構成にすれば、アタッチメント部材３００のサイズを小型化できる。
【００３０】
また、前記実施形態では、建具である折戸４を浴室ユニット１に取り付けたが、例えば、シャワー室やプール等の浴室以外の部分に取り付けられてもよい。
【図面の簡単な説明】
【００３１】
【図１】本発明の実施形態に係る浴室ユニットを示す正面図である。
【図２】折戸を示す縦断面図である。
【図３】図２の下側部分を拡大して示す縦断面図である。
【図４】下枠にアタッチメント部材が取り付けられた状態を浴室側から見た斜視図である。
【図５】アタッチメント部材と取付部材とを示す分解斜視図である。
【図６】取付部材によりアタッチメント部材を下枠上に取り付けた状態を示す縦断面図である。
【図７】第１の変形例に係る取付部材を説明するための縦断面図である。
【図８】第１の変形例に係る取付部材とアタッチメント部材とを示す分解斜視図である。
【図９】第２の変形例に係る建具を示す縦断面図である。
【図１０】図９の下側部分を拡大して示す縦断面図である。
【図１１】第３の変形例に係るアタッチメント部材を示す縦断面図である。
【図１２】第４の変形例に係るアタッチメント部材を示す縦断面図である。
【符号の説明】
【００３２】
１    浴室ユニット
２    ユニット本体
２Ａ  開口部
３    浴槽
４    折戸
５    開戸
１０，１１０  枠体
１１，１１１  上枠
１２，１１２  下枠
１３  縦枠
１４  上板
１４Ｂ      突出部
１４Ｃ      溝部
１５  取付部
１５Ａ      根元部分
２０，１２０  障子
３０，２００，３００  アタッチメント部材
３１，２１０，３１０  本体部
３２，１３０  止水材
３３  凹部
３４  延出部
３５  本体部
３５Ａ      突出片
３６  嵌合片
４０  止水材
５０，１５０  取付部材
５１  受け部材
５２，１５１  端部部材
５３  本体部
５４  爪部
５５  本体部
５６  爪部
１５１Ａ    突起
Ａ    溝部
【図１】
2006241688.tif 000003
【図２】
2006241688.tif 000004
【図３】
2006241688.tif 000005
【図４】
2006241688.tif 000006
【図５】
2006241688.tif 000007
【図６】
2006241688.tif 000008
【図７】
2006241688.tif 000009
【図８】
2006241688.tif 000010
【図９】
2006241688.tif 000011
【図１０】
2006241688.tif 000012
【図１１】
2006241688.tif 000013
【図１２】
2006241688.tif 000014